(57)【要約】      （修正有）【課題】単独で使用しても快適性が高く、使い勝手の良いシーツを提供する。【解決手段】シーツは、マットレスや枕等の寝具に着脱可能に構成されており、Ｂ型のシリカゲルを含む調湿層１５と、調湿層の上側及び下側に配され、ポリエステル綿等のクッション材により構成されるクッション層１４とを少なくとも有する多層構造となっている。また、シーツの表面１１は、ユーザに冷感を与える接触冷感生地により構成されていると共に、裏面１２は、綿やポリエステル等から構成されており、表面とクッション層との間には、不織布１３が配されている。【選択図】図２
0003194691.tif 000002
【実用新案登録請求の範囲】
【請求項１】
Ｂ型のシリカゲルを含む調湿層と、前記調湿層の上側及び下側に配されたクッション層と、を少なくとも有する多層構造を有しており、
少なくとも一面が、当該面に接したユーザに冷感を与える冷感生地により構成されていること、
を特徴とするシーツ。
【請求項２】
請求項１に記載のシーツにおいて、
前記シーツは、四角形状に形成されており、一端が前記シーツの辺をなす縁部に、他端が該辺以外の他の辺をなす縁部に接合された弾性の紐状部材を少なくとも２つ備えることにより、寝具に着脱可能に構成されていること、
を特徴とするシーツ。
【請求項３】
請求項１又は請求項２に記載のシーツにおいて、
前記調湿層は、前記シリカゲルとバインダとを混合したものを加熱することにより生成されること、
を特徴とするシーツ。
【請求項４】
請求項１又は請求項２に記載のシーツにおいて、
前記調湿層は、前記シリカゲルを挟んだ状態で配された布状の素材をキルティングすることで生成されること、
を特徴とするシーツ。
【請求項５】
請求項１から請求項４のうちのいずれか１項に記載のシーツにおいて、
前記シーツの一方の面は、前記冷感生地により構成されており、他方の面は、吸水性が高く、速乾性を有する素材により構成されていること、
を有することを特徴とするシーツ。
【請求項６】
請求項１から請求項４のうちのいずれか１項に記載のシーツにおいて、
前記シーツの一方の面は、前記冷感生地により構成されており、他方の面は、当該面に接したユーザに温感を与える素材により構成されていること、
を有することを特徴とするシーツ。
【考案の詳細な説明】
【技術分野】
【０００１】
本考案は、寝具に用いられるシーツに関する。
【背景技術】
【０００２】
従来、シリカゲル等の吸湿，脱臭剤を２枚のシート材の間に介在させ、これらを熱融着接合させることで得られたシートを、老人用のシーツ等に用いることが知られている（例えば、特許文献１）。
【先行技術文献】
【特許文献】
【０００３】
【特許文献１】実開平５−９５６２９号公報
【考案の概要】
【考案が解決しようとする課題】
【０００４】
しかしながら、このようなシートを単独でシーツとして用いた場合、除湿効果や脱臭効果は得られるものの十分な快適性を得ることはできず、このようなシートは、例えば、クッション性等を有する一般的なシーツの下に敷いて用いられるケースが多かった。そして、このような態様で使用されると、睡眠中に寝床が散らかり易くなったり、寝床の準備や片づけに手間がかかるため、使い勝手が悪かった。
【０００５】
本考案は、快適性が高く、使い勝手の良いシーツを提供することを目的とする。
【課題を解決するための手段】
【０００６】
上記課題に鑑みてなされた請求項１に記載のシーツは、Ｂ型のシリカゲルを含む調湿層と、調湿層の上側及び下側に配されたクッション層と、を少なくとも有する多層構造を有しており、少なくとも一面が、当該面に接したユーザに冷感を与える冷感生地により構成されていること、を特徴とする。
【０００７】
このようなシーツによれば、調湿層に含まれるＢ型のシリカゲルにより脱臭効果が得られる。また、湿気の多い場合には、Ｂ型のシリカゲルから除湿効果が得られ、これによりシーツの周辺は乾いた状態に維持されるため、寝具を快適に使用することが可能となる。
【０００８】
一方、湿気の少ない場合には、Ｂ型のシリカゲルに吸着された水分が放出され、これにより、シーツの周辺は適度な湿気を有した状態になると共に、Ｂ型のシリカゲルの除湿効果が回復する。このため、Ｂ型のシリカゲルを交換することなく、長期にわたりシーツを使用することができる。また、シーツを洗濯しても、乾かせば調湿層の除湿効果が回復するため、シーツを洗濯して繰り返し使用することができる。さらに、調湿層にＢ型のシリカゲルが含まれていることにより、洗濯をした際、シーツが乾き易くなる。
【０００９】
また、このシーツの一面は冷感生地により構成されているため、シーツを使用するユーザに冷感を与え、暑さを和らげることができる。そして、冷感生地がユーザに与える冷感とＢ型のシリカゲルによる除湿効果とが相俟って、高温多湿である場合の快適性をより一層高めることができる。
【００１０】
また、このシーツはクッション性を有しているため、単独で使用しても十分な快適性が得られ、例えば、他のシーツと重ね合わせる等して使用する必要は無い。このため、このシートのみを寝具に取り付けた状態で使用することができ、睡眠中に寝床が散らかり難く、寝床の準備や片づけが容易となり、使い勝手が向上する。
【００１１】
したがって、このシーツは、快適性が高く、使い勝手が良い。
なお、請求項２に記載されているように、シーツは、四角形状に形成されており、一端がシーツの辺をなす縁部に、他端が該辺以外の他の辺をなす縁部に接合された弾性の紐状部材を少なくとも２つ備えることにより、寝具に着脱可能に構成されていても良い。
【００１２】
こうすることにより、シーツを、マットレスや敷布団や枕等の寝具に容易に着脱することができる。
また、請求項３に記載されているように、調湿層は、シリカゲルとバインダとを混合したものを加熱することにより生成されても良い。
【００１３】
こうすることにより、調湿層に適度な硬さを持たせることができ、その結果、シーツ全体が堅固になり、ユーザの挙動等によりシーツが型崩れしたり、シーツに皺ができるのを防ぐことができる。さらに、調湿層の硬さにより、ユーザが冷感生地から受ける冷感が引き立てられ、より一層、快適性を高めることができる。
【００１４】
また、請求項４に記載されているように、調湿層は、シリカゲルを挟んだ状態で配された布状の素材をキルティングすることで生成されていても良い。
こうすることにより、調湿層により多くのシリカゲルを含有させることができ、調湿層の脱臭効果や除湿効果を高めることができる。また、キルティングにより生成された縫い目の形状により、調湿層に含まれるシリカゲルの量を調整することができ、適度な脱臭効果や除湿効果を得ることができる。
【００１５】
また、請求項５に記載されているように、シーツの一方の面は、冷感生地により構成されており、他方の面は、吸水性が高く、速乾性を有する素材により構成されていても良い。
【００１６】
このような構成によれば、寝具の湿気をより確実に取り除くことができ、快適性を高めることができる。
また、請求項６に記載されているように、シーツの一方の面は、冷感生地により構成されており、他方の面は、当該面に接したユーザに温感を与える素材により構成されていても良い。
【００１７】
このような構成によれば、シーツの他方の面がユーザに当接するようにしてシーツが使用されると、ユーザは温かみを感じることができ、シーツを裏返すことで、涼しい時や寒い時でも快適にシーツを使用することができる。
【図面の簡単な説明】
【００１８】
【図１】第１実施形態のシーツの表面図と裏面図である。
【図２】第１実施形態のシーツの断面図である。
【図３】第２実施形態のシーツの表面図と裏面図である。
【考案を実施するための形態】
【００１９】
以下、本考案の実施形態について図面を用いて説明する。なお、本考案の実施の形態は、下記の実施形態に何ら限定されることはなく、本考案の技術的範囲に属する限り種々の形態を採りうる。
【００２０】
［第１実施形態］
第１実施形態のシーツ１は、マットレスや敷布団等に着脱可能に構成されており、一方の主面を覆った状態でマットレス等に取り付けられる。シーツ１は、中央部１０と、中央部１０の外縁に設けられた縁部２０とから構成される（図１参照）。中央部１０には、縫い目１０ａが形成されており、これにより、中央部１０の内部に配されたクッション材が偏らないようにしている。
【００２１】
また、シーツ１の裏側の四隅には、それぞれ、帯状に形成され、弾性を有する紐状部材３０が設けられている。紐状部材３０は、帯状のゴム紐として構成されていても良い。紐状部材３０は、一端が、シーツ１の辺をなす縁部に、他端が、当該紐状部材３０に最も近接する隅部で該辺に交差する他の辺をなす縁部に接合されており、各接合箇所は、該隅部から同程度の距離を隔てた位置に配される。
【００２２】
一方、中央部１０は、表面１１，不織布１３，クッション層１４，調湿層１５，裏面１２を重ね合わせた多層構造となっている（図２参照）。
表面１１は、表面１１に接しているユーザに冷感を与える接触冷感生地により構成されている。接触冷感生地は、例えば、熱伝導率や熱拡散率が高い素材を用いることや、水分を素早く吸収，拡散して気化熱を奪うよう構成することで、冷感を与えるようになっていても良い。また、この接触冷感生地は、一例として、レーヨンやナイロン等から構成されていても良い。
【００２３】
クッション層１４は、例えば、ポリエステル綿等のクッション材により構成されており、調湿層１５を上側と下側から挟んだ状態で配される。
不織布１３は、表面１１とクッション層１４との間に配されている。不織布１３を配することで、クッション材を構成する繊維等が表面１１から飛び出してしまうのを防ぐことができる。
【００２４】
調湿層１５は、Ｂ型のシリカゲルを含む部位である。調湿層１５は、例えば、Ｂ型のシリカゲルと樹脂等により構成されるバインドとを所定の割合（一例として１：１）で混合したものを、２枚のフエルトの間に介在させ、これらを加熱することで生成されても良い。つまり、調湿層１５は、２枚のフエルト１５ｂと、これらの間に配され、Ｂ型のシリカゲルとバインドとを熱融着して得られた物質１５ａとから構成されていても良い。
【００２５】
無論、調湿層１５は、これに限定されることは無く、例えば、扁平な袋状部材にＢ型のシリカゲルを詰めたものを、調湿層１５としても良い。また、クッション材として用いられるポリエステル綿等の内部にＢ型のシリカゲルを配置することで、調湿層１５を構成しても良い。また、フエルト以外の生地（例えば、ウレタン等といった耐熱性を有するクッション材）の間にＢ型のシリカゲルとバインドとの混合物を介在させ、これらを加熱することで、調湿層１５を生成しても良い。
【００２６】
このほかにも、Ｂ型のシリカゲルを挟んだ状態で配された１又は複数枚の布状の素材（例えば、フエルト，不織布等といった生地や、薄い板状のウレタン等の素材）をキルティングすることで、調湿層１５を生成しても良い。このとき、キルティングの縫い目の形状や、該縫い目により囲まれる領域の面積により、布状の素材に挟まれた状態で配されるＢ型のシリカゲルの量を調整し、これにより、調湿層１５に含まれるＢ型のシリカゲルの量を調整しても良い。
【００２７】
裏面１２は、一例として、吸水性が高く、速乾性を有する生地により構成されていても良い。具体的には、例えば、裏面１２を構成する生地は、裏面１２に当接しているマットレス等から素早く水分を吸収し、調湿層１５が設けられた内側に水分を発散させるよう構成されていても良い。このほかにも、水分を含むと編み目が開き、乾くと元の状態に戻るよう構成された生地を用いて、裏面１２を構成しても良い。
【００２８】
また、裏面１２は、一例として、裏面１２に接しているユーザに温感を与える生地により構成されていても良い。このような生地は、綿やポリエステル等により構成されていても良いし、ブランケット等として構成されていても良いし、保温効果や保湿効果や発熱効果を得るための加工がなされたものであっても良い。
【００２９】
このほかにも、裏面１２は、一例として、綿やポリエステル等からなる柔軟性を有する生地により構成されていても良い。
［第２実施形態］
第２実施形態のシーツ２は、枕に着脱可能に構成されており、一方の主面を覆った状態で枕に取り付けられる。シーツ２は、中央部５０と、中央部５０の外縁に設けられた縁部６０とから構成される（図３参照）。
【００３０】
また、シーツ２の裏側には、第１実施形態と同様の紐状部材７０が、２本設けられている。紐状部材７０は、一端がシーツ２の一方の長辺をなす縁部に、他端が他方の長辺をなす縁部に接合されている。それぞれの紐状部材７０は、シーツ２の短辺をなす縁部に平行に配されており、短辺寄りの位置に配されている。
【００３１】
なお、シーツ２の中央部５０は、第１実施形態のシーツ１の中央部１０と同様の構成を有しているため、説明を省略する。
［効果］
第１，第２実施形態のシーツ１，２によれば、調湿層１５に含まれるＢ型のシリカゲルにより脱臭効果が得られる。また、湿気の多い場合には、Ｂ型のシリカゲルから除湿効果が得られ、これによりシーツ１，２の周辺は乾いた状態に維持されるため、寝具を快適に使用することが可能となる。
【００３２】
一方、湿気の少ない場合には、Ｂ型のシリカゲルに吸着された水分が放出され、これにより、シーツ１，２の周辺は適度な湿気を有した状態になると共に、Ｂ型のシリカゲルの除湿効果が回復する。このため、Ｂ型のシリカゲルを交換することなく、長期にわたりシーツ１，２を使用することができる。また、シーツ１，２を洗濯しても、乾かせば調湿層１５の除湿効果が回復するため、シーツ１，２を洗濯して繰り返し使用することができる。さらに、調湿層１５にＢ型のシリカゲルが含まれていることにより、洗濯をした際、シーツ１，２が乾き易くなる。
【００３３】
また、シーツ１，２の表面は接触冷感生地により構成されているため、シーツ１，２を使用するユーザに冷感を与え、暑さを和らげることができる。そして、接触冷感生地がユーザに与える冷感とＢ型シリカゲルによる除湿効果とが相俟って、高温多湿である場合の快適性をより一層高めることができる。
【００３４】
また、シーツ１，２はクッション性を有しているため、単独で使用しても十分な快適性が得られ、例えば、他のシーツと重ね合わせる等して使用する必要は無い。このため、シーツ１，２のみを寝具に取り付けた状態で使用することができ、睡眠中に寝床が散らかり難く、寝床の準備や片づけが容易となり、使い勝手が向上する。
【００３５】
したがって、シーツ１，２は、快適性が高く、使い勝手が良い。
また、シーツ１，２の調湿層１５は、Ｂ型のシリカゲルとバインドとの混合物を加熱することで生成されており、他の部位は、レーヨン，ナイロンや、綿，ポリエステル等により構成されている。このため、洗濯をした際に縮みや型崩れが生じにくく、一般家庭向けの洗濯機を使用してシーツ１，２を洗うことができる。また、調湿層１５にＢ型のシリカゲルが含まれていることにより、洗濯によりシーツ１，２が濡れた状態になっても早く乾かすことができる。
【００３６】
［他の実施形態］
（１）第１，第２実施形態のシーツ１，２は、一例として、マットレスや敷布団や枕といった寝具に用いられるが、これに限らず、例えば、掛布団等の他の寝具に用いても良い。また、寝具に限らず、同様に構成されたシーツを、例えば、椅子やソファー向けの敷物として用いても良い。このような場合であっても、同様の効果を得ることができる。
【００３７】
（２）また、第１，第２実施形態のシーツ１，２は、ゴム紐等として構成された紐状部材３０，７０によりマットレス等の寝具に着脱可能となっているが、紐状部材３０，７０を用いることなく、寝具に着脱可能に構成しても良い。
【００３８】
具体的には、例えば、シーツの中央部と同様の部材により、内部に寝具を収納可能な扁平な袋状のシーツを構成し、該袋状のシーツに、寝具を出し入れするための開口部や、該開口部を開閉するファスナー等を設けることで、寝具に着脱可能にしても良い。
【００３９】
また、シーツの中央部と同様の部材により所謂テレビ型の布団カバーや所謂腹巻タイプの枕カバーを構成することで、マットレスや枕等の寝具に着脱可能としても良い。
また、ゴム紐等として構成された紐状部材３０，７０に替えて、弾性を有さない紐により寝具に着脱可能に構成しても良い。
【００４０】
また、寝具に着脱可能にするための構成を設けず、第１，第２実施形態と同様の中央部１０，５０と縁部２０，６０とからなるシーツを、寝具の上に敷いて使用するようにしても良い。
【００４１】
このような場合であっても、同様の効果を得ることができる。
【符号の説明】
【００４２】
１…シーツ、２…シーツ、１０…中央部、１１…表面、１２…裏面、１３…不織布、１４…クッション層、１５…調湿層、２０…縁部、３０…紐状部材、５０…中央部、６０…縁部、７０…紐状部材。
【図１】
0003194691.tif 000003
【図２】
0003194691.tif 000004
【図３】
0003194691.tif 000005